(57)【特許請求の範囲】
【請求項１】
コードを複数回巻き付けるようにして前記コードの余長を収容させるためのコード巻取り具において、
平板状の本体部の長手方向における両端に対向状態で形成させて、前記コードを収容する一対の開口部と、
前記各開口部と外部とを連通させるように前記本体部にそれぞれ形成させた一対の切込み部とを備えたことを特徴とするコード巻取り具。
【請求項２】
一対の前記切込み部は、前記本体部の側面視において斜めに形成したことを特徴とする請求項１記載のコード巻取り具。
【請求項３】
一対の前記切込み部は、直線的に形成されて、前記本体部の中点を通る線上に配置させ、前記長手方向に沿って延在する軸線と前記切込み部に沿って延在する切込み線とのなす内角は鋭角であることを特徴とする請求項１又は２記載のコード巻取り具。
【請求項４】
一対の前記切込み部は、同一の前記側面側に形成したことを特徴とする請求項１又は２記載のコード巻取り具。
【請求項５】
前記本体部を一枚の平板状に形成したことを特徴とする請求項１〜４のいずれか一項記載のコード巻取り具。
【請求項６】
前記本体部において、一対の前記開口部間には、長手方向に延在するスリット部を形成したことを特徴とする請求項１〜５のいずれか一項記載のコード巻取り具。
【発明の詳細な説明】
【０００１】
【発明の属する技術分野】
本発明は、特に、パソコンやプリンタ等のＯＡ機器やテレビやビデオ等の家庭電化製品などに装備させたコード（例えば、接続コード、配線コード又はプラグコード）を巻き付けることで余長を収容させるようにしたコード巻取り具に関するものである。
【０００２】
【従来の技術】
従来において利用されているコード巻取り具１００としては、図４２に示すように、本体部１０１の周囲にコード巻取り用の収容空間１０２を設け、この収容空間１０２と外部とを連通させるように、本体部１０１の全周に亙って切込み溝１０３が形成されている。そして、電化製品から延びるプラグコードＡの余長を収容する場合、コードＡの余長部分を環状の切込み溝１０３から収容空間１０２内に差し込むようにして、コードＡを本体部１０１の周囲に必要な回数だけ巻き付ける。これによって、コードＡの余長部分は、収容空間１０２からコードＡが飛び出すことなく本体部１０１に巻き取られることになる。
【０００３】
【発明が解決しようとする課題】
しかしながら、前述した従来のコード巻取り具１００は、本体部１０１の周囲にコードＡを巻き付けるようにしているため、器具１００自体が大型化する結果として、その取り扱い性が悪くなる。更には、コードＡを巻き付けた状態の器具１００が机の上や床の上に置かれると、器具１００自体の占有スペースが大きくなり、コードＡ同士の絡み合いはなくなるものの、邪魔になることがある。このような事態は、ＯＡ機器のように、様々な機種を、小さな机の上で接続コードを介して相互に接続させる際に顕著になる。
【０００４】
本発明は、上述の課題を解決するためになされたもので、特に、取り扱い性を向上させ、小型かつ薄型であるがコードの余長部分を確実に収容させるようにしたコード巻取り具を提供することを目的とする。
【０００５】
【課題を解決するための手段】
本発明に係るコード巻取り具は、コードを複数回巻き付けるようにしてコードの余長を収容させるためのコード巻取り具において、平板状の本体部の長手方向における両端に対向状態で形成させて、コードを収容する一対の開口部と、各開口部と外部とを連通させるように本体部にそれぞれ形成させた一対の切込み部とを備えたことを特徴とする。
【０００６】
このコード巻取り具においては、平板状の本体部によって全体が形どられており、これによって、小型化や薄型化を可能して、その取り扱い性をも向上させる。そして、コードの余長部分を収容するにあたっては、コードを複数回巻き付ける必要があり、この巻き付けを達成させるために、本体部の長手方向における両端に対向状態で一対に開口部を形成させ、更には、各開口部と外部とを連通させるための切込み部を形成させている。このような形状によって、一方の開口部と他方の開口部とを架け渡すように、本体部の長手方向にコードを巻き付けることができる。また、開口部の形状を変えることで、コードの径や種類に簡単に対応させることができる。しかも、本体部において、開口部間の余分な部分を削り落すことで、コード巻取り具の更なる軽量化を図ることもでき、その取り扱い性が更に向上することにもなる。このように、本発明のコード巻取り具は、様々な形態の変更をも可能にするもので、極めて高い汎用性をもたらすものである。
【０００７】
また、一対の前記切込み部は、前記本体部の側面視において斜めに形成すると好適である。このような構成は、細長いコードでも抜けにくくすることができ、コード巻取り具の汎用性を高める一助をなすものである。
【０００８】
また、一対の切込み部は、直線的に形成されて、本体部の中点を通る線上に配置させ、長手方向に沿って延在する軸線と切込み部に沿って延在する切込み線とのなす内角は鋭角であると好適である。切込み部をこのような方向に形成させることで、コードを開口部内に差し込んで本体部に巻き付ける際、コードを、開口部の奥側からスムーズに巻き付けることができるので、巻き付け作業を楽に行うことができ、作業の効率性が高められる。更に、切込み部のその方向性ゆえに、巻き付けられたコードが切込み部から抜け出にくくなり、巻かれたコードの弾性によって、コードが巻取り具から自然に外れにくいといった効果をもたらす。
【０００９】
また、一対の切込み部は、同一の側面側に形成すると好適である。このような構成も、コードの巻き付けの作業性を高める方策として有効である。
【００１０】
また、本体部を一枚の平板状に形成すると好適である。このような構成によって、構造を極めてシンプルにすることができ、製造コストの低減を図ることが可能である。
【００１１】
また、本体部において、一対の開口部間には、長手方向に延在するスリット部を形成すると好適である。この場合、本体部の両端側を長手方向において相反する方向に引っ張るような力を、外部から加えることによって、各切込み部を強制的にかつ容易に開かせ、この開放状態を維持しつつ、コードは巻取り具に巻き付けられることになる。なお、巻き付け完了後に、前述と同様に切込み部を強制的に閉じさせるか、または本体部の弾性を利用して自然に復帰させる。
【００１２】
また、本体部を二分割してなる第１の半部と第２の半部とを長手方向にスライド自在に係合させ、切込み部を、第１の半部と第２の半部との協働により形成させると好適である。すなわち、第１の半部と第２の半部を、互いに引き離すように長手方向にスライドさせると、第１の半部と第２の半部とで形成した切込み部が拡大し、これによって、コードは、切込み部から出入れし易くなる。これに対し、第１の半部と第２の半部を、互いに引き寄せるように長手方向にスライドさせると、第１の半部と第２の半部とで形成した切込み部を小さくするか又は無くすことで、コードは、切込み部から抜け出にくくなる。このように、コードの余長部分がより一層巻き易くなることは言うに及ばず、巻取り作業終了後においてコードが外れにくくなる。
【００１３】
【発明の実施の形態】
以下、図面と共に本発明によるコード巻取り具の好適な種々の実施形態について詳細に説明する。
【００１４】
昨今のコンピュータの発達によって、パソコンやプリンタ更にはスキャナー等のコンピュータ関連機器が増加を一途をたどっている。そして、これら機器は、家庭や仕事場において密集した状態で配置され、それに伴って、多数のコードが雑然と絡まってしまう事態が起こっている。このような事態を解消すべく、以下に述べるような種々のコード巻取り具が発案された。
【００１５】
図１〜図４に示すように、第１の実施形態に係るコード巻取り具１は、軽量化を可能にするプラスチック又は剛性を確保する金属（例えば、アルミ、鉄又はステンレス）からなると共に、厚みが１〜３ｍｍ程度の均一な厚さをもった一枚の板材から形成されている。このコード巻取り具１は、長さ約１０ｃｍで幅３〜４ｃｍ程度にカットされた一枚の平板状本体部２を有し、この本体部２の両側面２ａは長手方向に平行に延び、本体部２の両端は半円状に形成されている。
【００１６】
そして、本体部２の両端部分には、コードＡを巻取り収容するための一対の開口部３，４が設けられている。各開口部３，４は、互いに対向するように平行に延びる直線状の巻き付け面３ａ，４ａと、巻き付け面３ａ，４ａの両端から本体部２の外形に沿うように延びて、開口部３，４の大きさや形を規定させる外郭面３ｂ，４ｂとによって形成させている。
【００１７】
また、本体部２の両端において、開口部３と外部とを連通させる切込み部５が設けられ、開口部４と外部とを連通させる切込み部６が設けられている。図４に示すように、一対の切込み部５，６は、直線的に形成されて、本体部２の中点Ｂを通る線Ｃ上に配置させている。このような関係にすることで、各切込み部５，６を、本体部２の各側面２ａに一個ずつ形成させることができ、中点Ｂに対して点対称の関係をもって配置させることができる。
【００１８】
そして、長手方向に沿って延在する軸線Ｄと切込み部５，６に沿って延在する切込み線Ｅ，Ｆとのなす内角αは鋭角であり、具体的には、試作して検証した結果、内角αは６０度前後が好ましいことが分っている。なお、切込み線ＥとＦは平行に延在する。このような各切込み部５，６を採用する結果、コードＡを開口部３，４内に差し込んで本体部２に巻き付ける際、コードＡを、開口部３，４の奥側からスムーズに巻き付けることができるので、巻き付け作業を楽に行うことができ、作業の効率性が高められる。
【００１９】
更に、切込み部５，６のその方向性ゆえに、巻き付けられたコードＡが各切込み部５，６から抜け出にくくなり、巻かれたコードＡの弾性によって、コードＡがコード巻取り具１から自然に外れることがない。なお、各切込み部５，６は、図２（ａ），（ｃ）に示すように、コードＡを各開口部３，４内に差し込み易く、且つコードＡが開口部３，４から細長いコードＡでも抜け難くするために、試作の結果、側面２ａにおいて斜め４５度前後の傾き角βをもって切り込むのが好適である。
【００２０】
また、コードＡの径が大きくて、切込み部５，６に入り難い場合、本体部２をプラスチックで形成させることで、本体部２の両端を弾性変形させることができる。これによって、切込み部５，６の押し広げが可能となり、コードＡの径に影響されることなく、コードＡをスムーズに巻き付けることができる。更には、極めてシンプルな構造であるから、製造コストを抑えることでき、そして、外観も極めてすっきりした形状にすることができ、その取り扱いも軽量ゆえにコードＡに与える影響を極めて少なくすることが可能となる。また、本体部２が平板状になっているので、電気機器の種類を表記するためのシールなどを簡単に貼付けることも可能である。
【００２１】
図５及び図６は、第２の実施形態に係るコード巻取り具１０を示すものである。なお、この実施形態において、第１の実施形態と同一又は同等な構成部分には同一の符号を付してその説明は省略し、ここでは、異なる構成部分の説明に留める。本体部２の両端は三角形状をなし、一対の開口部１１，１２は五角形状をなしている。各開口部１１，１２は、互いに対向するように平行に延びる直線状の巻き付け面１１ａ，１２ａと、巻き付け面１１ａ，１２ａの両端から本体部２の外形に沿うように延びて、開口部１１，１２の大きさや形を規定させる外郭面１１ｂ，１２ｂとによって形成させている。
【００２２】
図７及び図８は、第３の実施形態に係るコード巻取り具１５を示すものである。なお、この実施形態において、第１の実施形態と同一又は同等な構成部分には同一の符号を付してその説明は省略し、ここでは、異なる構成部分の説明に留める。本体部２の両端は三角形状をなし、一対の開口部１６，１７は菱形状をなしている。各開口部１６，１７は、互いに対向するようにＶ字状に延びる巻き付け面１６ａ，１７ａと、巻き付け面１６ａ，１７ａの両端から本体部２の外形に沿うように延びて、開口部１６，１７の大きさや形を規定させる外郭面１６ｂ，１７ｂとによって形成させている。このようなＶ字状の巻き付け面１６ａ，１７ａを採用する結果として、コードＡを中央から巻き付けることができる。
【００２３】
図９及び図１０は、第４の実施形態に係るコード巻取り具２０を示すものである。なお、この実施形態において、第１の実施形態と同一又は同等な構成部分には同一の符号を付してその説明は省略し、ここでは、異なる構成部分の説明に留める。本体部２は長方形に形成され、一対の開口部２１，２２は正方形状をなしている。各開口部２１，２２は、互いに対向するように平行に延びる直線状の巻き付け面２１ａ，２２ａと、巻き付け面２１ａ，２２ａの両端から本体部２の外形に沿うように延びて、開口部２１，２２の大きさや形を規定させる外郭面２１ｂ，２２ｂとによって形成させている。
【００２４】
図１１及び図１２は、第５の実施形態に係るコード巻取り具２５を示すものである。なお、この実施形態において、第１の実施形態と同一又は同等な構成部分には同一の符号を付してその説明は省略し、ここでは、異なる構成部分の説明に留める。本体部２の両端は三角形状をなし、一対の開口部２６，２７は円形をなしている。各開口部２６，２７は、互いに対向するように円弧状の巻き付け面２６ａ，２７ａと、巻き付け面２６ａ，２７ａの両端から延びて円弧状をなす外郭面２６ｂ，２７ｂとによって形成させている。このような円弧状の巻き付け面２６ａ，２７ａを採用する結果として、コードＡを中央から均等に巻き付けることができる。
【００２５】
図１３及び図１４は、第６の実施形態に係るコード巻取り具３０を示すものである。なお、この実施形態において、第１の実施形態と同一又は同等な構成部分には同一の符号を付してその説明は省略し、ここでは、異なる構成部分の説明に留める。本体部２において、開口部３と開口部４との間に矩形の凹部３１を形成させることで、この凹部３１にラベル等が貼れるようにしている。
【００２６】
図１５及び図１６は、第７の実施形態に係るコード巻取り具３５を示すものである。なお、この実施形態において、第３の実施形態（図７及び図８）と同一又は同等な構成部分には同一の符号を付してその説明は省略し、ここでは、異なる構成部分の説明に留める。本体部２において、菱形をなす一対の開口部１６，１７の間に、これら開口部１６，１７と同一形状をなす菱形状の切除空間部３６を形成させることで、本体部２の余分な部分を削り落すことができ、コード巻取り具３５は更なる軽量化が図られ、その取り扱い性が更に向上することになる。
【００２７】
図１７及び図１８は、第８の実施形態に係るコード巻取り具４０を示すものである。なお、この実施形態において、第４の実施形態（図９及び図１０）と同一又は同等な構成部分には同一の符号を付してその説明は省略し、ここでは、異なる構成部分の説明に留める。本体部２において、正方形をなす一対の開口部２１，２２の間に、これら開口部２１，２２と同一形状をなす正方形状の凹部４１を形成させることで、この凹部４１にラベル等が貼れるようにしている。
【００２８】
図１９及び図２０は、第９の実施形態に係るコード巻取り具４５を示すものである。なお、この実施形態において、第１の実施形態と同一又は同等な構成部分には同一の符号を付してその説明は省略し、ここでは、異なる構成部分の説明に留める。本体部２において、円形をなす一対の開口部４６，４７の間に、これら開口部４６，４７と同一形状をなす円形の切除空間部４８を形成させることで、本体部２の余分な部分を削り落すことができ、コード巻取り具４５は更なる軽量化が図られ、その取り扱い性が更に向上することになる。そして、開口部４６，４７が円形ゆえに、コードＡを中央から均等に巻き付けることができる。
【００２９】
図２１及び図２２は、第１０の実施形態に係るコード巻取り具５０を示すものである。なお、この実施形態において、第９の実施形態（図１９及び図２０）と同一又は同等な構成部分には同一の符号を付してその説明は省略し、ここでは、異なる構成部分の説明に留める。本体部２は長方形に形成され、この本体部に各開口部４６，４７及び切除空間部４８が形成されている。
【００３０】
図２３及び図２４は、第１１の実施形態に係るコード巻取り具５５を示すものである。なお、この実施形態において、第１の実施形態と同一又は同等な構成部分には同一の符号を付してその説明は省略し、ここでは、異なる構成部分の説明に留める。本体部２は長方形に形成され、一対の開口部５６，５７は、互いに対向するように円弧状の巻き付け面５６ａ，５７ａと、巻き付け面５６ａ，５７ａの両端から本体部２の外形に沿うように延びて、開口部５６，５７の大きさや形を規定させる外郭面５６ｂ，５７ｂとによって形成させている。また、一対の開口部５６，５７の間に細長い長方形状の凹部５８を形成させることで、この凹部５８にラベル等が貼れるようにしている。そして、開口部５６，５７の巻取り面５６ａ，５７ａが円弧状ゆえに、コードＡを中央から均等に巻き付けることができる。
【００３１】
図２５及び図２６は、第１２の実施形態に係るコード巻取り具６０を示すものである。なお、この実施形態において、第１の実施形態と同一又は同等な構成部分には同一の符号を付してその説明は省略し、ここでは、異なる構成部分の説明に留める。本体部２は、左右に配置した円形の第１及び第２の本体部６１Ａ，６１Ｂと、一対の第１及び第２の本体部６１Ａ，６１Ｂに架け渡された細長い連結部６２とからなる。そして、第１及び第２の本体部６１Ａ，６１Ｂには、円形の開口部６３Ａ，６３Ｂが、本体部６１Ａ，６１Ｂの輪郭に沿うようにして形成されている。このようなコード巻取り具６０は、極めて軽量である。そして、本体部２をプラスチックで形成した場合、連結部６２に弾性をもたせることができる。従って、連結部６２を弓形に撓ませるようにして、コードＡを巻き付けることができ、コードＡの巻き付け終了後において、連結部６２の弾性復元力によって、本体部２はコードＡに圧着され、コードＡの巻取り状態の崩れを適切に回避させることができる。
【００３２】
図２７及び図２８は、第１３の実施形態に係るコード巻取り具６５を示すものである。なお、この実施形態において、第１の実施形態と同一又は同等な構成部分には同一の符号を付してその説明は省略し、ここでは、異なる構成部分の説明に留める。本体部２は、左右に配置した菱形の第１及び第２の本体部６６Ａ，６６Ｂと、一対の第１及び第２の本体部６６Ａ，６６Ｂに架け渡された細長い連結部６７とからなる。そして、第１及び第２の本体部６６Ａ，６６Ｂには、菱形の開口部６８Ａ，６８Ｂが、本体部６６Ａ，６６Ｂの輪郭に沿うようにして形成されている。このようなコード巻取り具６５は、極めて軽量である。そして、本体部２をプラスチックで形成した場合、連結部６７に弾性をもたせることができる。従って、連結部６７を弓形に撓ませるようにして、コードＡを巻き付けることができ、コードＡの巻き付け終了後において、連結部６７の弾性復元力によって、本体部２はコードＡに圧着され、コードＡの巻取り状態の崩れを適切に回避させることができる。
【００３３】
図２９及び図３０は、第１４の実施形態に係るコード巻取り具７０を示すものである。なお、この実施形態において、第１の実施形態と同一又は同等な構成部分には同一の符号を付してその説明は省略し、ここでは、異なる構成部分の説明に留める。本体部２は、左右に配置した正方形の第１及び第２の本体部７１Ａ，７１Ｂと、一対の第１及び第２の本体部７１Ａ，７１Ｂに架け渡された細長い連結部７２とからなる。そして、第１及び第２の本体部７１Ａ，７１Ｂには、正方形の開口部７３Ａ，７３Ｂが、本体部７１Ａ，７１Ｂの輪郭に沿うようにして形成されている。このようなコード巻取り具７０は、極めて軽量である。そして、本体部２をプラスチックで形成した場合、連結部７２に弾性をもたせることができる。従って、連結部７２を弓形に撓ませるようにして、コードＡを巻き付けることができ、コードＡの巻き付け終了後において、連結部７２の弾性復元力によって、本体部２はコードＡに圧着され、コードＡの巻取り状態の崩れを適切に回避させることができる。
【００３４】
図３１及び図３２は、第１５の実施形態に係るコード巻取り具７５を示すものである。なお、この実施形態において、第１の実施形態と同一又は同等な構成部分には同一の符号を付してその説明は省略し、ここでは、異なる構成部分の説明に留める。本体部２において、開口部３と開口部４との間に細長い凹部７６を形成させる。更に、開口部３，４の間において、本体部２の両側面２ａに円弧状の切欠き部７７を形成させることで、連結部７８をなす。このように、本体部２の余分な部分を削り落すことで、コード巻取り具７５は、極めて軽量となる。そして、本体部２をプラスチックで形成した場合、連結部７８に弾性をもたせることができる。従って、連結部７８を弓形に撓ませるようにして、コードＡを巻き付けることができ、コードＡの巻き付け終了後において、連結部７８の弾性復元力によって、本体部２はコードＡに圧着され、コードＡの巻取り状態の崩れを適切に回避させることができる。
【００３５】
図３３及び図３４は、第１６の実施形態に係るコード巻取り具８０を示すものである。このコード巻取り具８０は、軽量化を可能にするプラスチック又は剛性を確保する金属（例えば、アルミ、鉄又はステンレス）からなると共に、厚みが１〜３ｍｍ程度の均一な厚さをもち、長さ約１０ｃｍで幅３〜４ｃｍ程度の大きさを有している。このコード巻取り具８０の本体部８３は、二分割してなる第１の半部８１と第２の半部８２とからなり、第１の半部８１と第２の半部８２は、本体部８３の中央において長手方向にスライド自在に係合させている。
【００３６】
このスライド構造を具体的に説明する。第１の半部８１には、長手方向に延在するように突出させたガイド片８１ａと、長手方向においてガイド片８１ａに隣接して形成したガイド溝８１ｂとが設けられている。これに対し、第２の半部８２には、長手方向に延在するように突出させると共に第１の半部８１のガイド溝８１ｂに嵌まり込むガイド片８２ａと、長手方向においてガイド片８２ａに隣接して形成させると共に第１の半部８１のガイド片８１ａを嵌まり込ませるガイド溝８２ｂとが設けられている。このような構成によって、第１の半部８１と第２の半部８２は長手方向にスライド自在になる。
【００３７】
更に、本体部８３の両端部分に、コードＡを巻取り収容するための一対の開口部８４，８５を設けるため、第１の半部８１は、長手方向に突出させるように形成させたＵ字状の端部８１ｃを有し、同様に、第２の半部８２も、長手方向に突出させるように形成させたＵ字状の端部８２ｃを有している。また、Ｕ字状の端部８１ｃの先端と、第２の半部８２の末端部８２ｄとの協働によって切込み部８６が形成される。同様に、Ｕ字状の端部８２ｃの先端と、第２の半部８１の末端部８１ｄとの協働によって切込み部８７が形成される。なお、第１の半部８１側のＵ字状の端部８１ｃと第２の半部８２側のＵ字状の端部８２ｃとは、点対称の関係をもって形成させているので、左右一対の切込み部８６，８７は、本体部８３の中点を通る線上に配置されることになる。
【００３８】
なお、実際上、図３６及び図３７に示すように、前述したような構成のコード巻取り具８０を製作するにあたって、第１の半部８１と第２の半部８２とは同一の形状になっており、同一形状の半部を２個準備すれば足りる。この構成によって、製作費のコストダウンが図られることになる。
【００３９】
そこで、第１の半部８１と第２の半部８２を、互いに引き離すように長手方向にスライドさせると、第１の半部８１と第２の半部８２とで形成した切込み部８６，８７が拡大し、これによって、コードＡは、切込み部８６，８７から出入れし易くなる（図３３参照）。この状態を指で保持させながら、コードＡの余長部分を切込み部８６，８７内に交互に差し込みながら、コードＡを収容させるようにして、本体部８３にコードＡの余長部分を巻き付けていく。
【００４０】
そして、コードＡの巻き付けて完了後、第１の半部８１と第２の半部８２を、互いに引き寄せるように長手方向にスライドさせて、第１の半部８１と第２の半部８２とで形成した切込み部８６，８７を小さくするか又は無くすことで、コードＡの余長部分は、切込み部８６，８７から抜け出にくくなる（図３５参照）。このように、コードＡの余長部分がより一層巻き易くなることは言うに及ばず、巻取り作業終了後においてコードＡの余長部分が外れにくくなる。
【００４１】
図３８及び図３９は、第１７の実施形態に係るコード巻取り具９０を示すものである。なお、この実施形態において、第１の実施形態と同一又は同等な構成部分には同一の符号を付してその説明は省略し、ここでは、異なる構成部分の説明に留める。本体部２に形成させた左右一対の切込み部９１，９２は、同一の側面２ａ側に形成されている。一対の切込み部９１，９２は、鏡面対称の状態で斜め４５度の角度βをもって形成している。このような構成によって、巻取り具９０の一側面２ａ側からコードＡを巻いたり外したりすることができ、作業性の向上が図られる。
【００４２】
図４０及び図４１は、第１８の実施形態に係るコード巻取り具９３を示すものである。なお、この実施形態において、第１の実施形態と同一又は同等な構成部分には同一の符号を付してその説明は省略し、ここでは、異なる構成部分の説明に留める。本体部２において、左右一対の開口部３，４の間には、長手方向に延在するスリット部９４が形成され、スリット部９４の両端には、開口部３，４間における本体部２の変形を容易にするための矩形の切除空間部９５，９６が形成されている。更に、スリット部９４の中央には、鋸歯状の噛み合わせ部９７が設けられている。
【００４３】
この場合、図４１（ｂ）に示すように、本体部２の両側が矢印方向に引っ張られるように、本体部２のスリット部９４を挟んだ両側面２ａ，２ａ側の部分を、本体部２の長手方向において相反する方向に押し出す。これに伴って、各切除空間部９５，９６を変形させながら、各切込み部５，６は強制的にかつ容易に開くことになる。このとき、スリット部９４がその幅方向に押し潰されることによって、噛み合わせ部９７の噛合状態が達成され、切込み部５，６を開放状態に容易に維持させることができる。このような状態で、コードＡは巻取り具９３に巻き付けられることになる。また、コードＡの巻き付け完了後に、噛み合わせ部９７の噛合状態を解除させるように指を放すことで、本体部２の弾性を利用して、切込み部５，６は閉じる方向に自然に復帰する。
【００４４】
本発明に係るコード巻取り具は、前述した種々の実施形態に限定されるものではなく、例えば、本体部及び開口部の外形は、当業者が容易に創作できる範囲内であれば、必要に応じて適宜設計変更がなされる範囲内のものが含まれることは言うまでもない。
【００４５】
【発明の効果】
本発明によるコード巻取り具は、以上のように構成されているため、次のような効果を得る。すなわち、コードを複数回巻き付けるようにしてコードの余長を収容させるためのコード巻取り具において、平板状の本体部の長手方向における両端に対向状態で形成させて、コードを収容する一対の開口部と、各開口部と外部とを連通させるように本体部にそれぞれ形成させた一対の切込み部とを備えたことにより、取り扱い性を向上させ、小型かつ薄型であるがコードの余長部分を確実に収容させることができる。
【図面の簡単な説明】
【図１】本発明に係るコード巻取り具の第１の実施形態を示す斜視図である。
【図２】（ａ）は、第１の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図３】図２（ｂ）のＩ−Ｉ線に沿う断面図である。
【図４】図１に示したコード巻取り具の拡大正面図である。
【図５】（ａ）は、第２の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図６】図５（ｂ）のＩ−Ｉ線に沿う断面図である。
【図７】（ａ）は、第３の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図８】図７（ｂ）のＩ−Ｉ線に沿う断面図である。
【図９】（ａ）は、第４の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図１０】図９（ｂ）のＩ−Ｉ線に沿う断面図である。
【図１１】（ａ）は、第５の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図１２】図１１（ｂ）のＩ−Ｉ線に沿う断面図である。
【図１３】（ａ）は、第６の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図１４】図１３（ｂ）のＩ−Ｉ線に沿う断面図である。
【図１５】（ａ）は、第７の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図１６】図１５（ｂ）のＩ−Ｉ線に沿う断面図である。
【図１７】（ａ）は、第８の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図１８】図１７（ｂ）のＩ−Ｉ線に沿う断面図である。
【図１９】（ａ）は、第９の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図２０】図１９（ｂ）のＩ−Ｉ線に沿う断面図である。
【図２１】（ａ）は、第１０の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図２２】図２１（ｂ）のＩ−Ｉ線に沿う断面図である。
【図２３】（ａ）は、第１１の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図２４】図２３（ｂ）のＩ−Ｉ線に沿う断面図である。
【図２５】（ａ）は、第１２の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図２６】図２５（ｂ）のＩ−Ｉ線に沿う断面図である。
【図２７】（ａ）は、第１３の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図２８】図２７（ｂ）のＩ−Ｉ線に沿う断面図である。
【図２９】（ａ）は、第１４の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図３０】図２９（ｂ）のＩ−Ｉ線に沿う断面図である。
【図３１】（ａ）は、第１５の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図３２】図３１（ｂ）のＩ−Ｉ線に沿う断面図である。
【図３３】（ａ）は、第１６の実施形態に係るコード巻取り具の平面図であり、
（ｂ）は、そのコード巻取り具の正面図であり、
（ｃ）は、そのコード巻取り具の背面図であり、
（ｄ）は、そのコード巻取り具の底面図であり、
（ｅ）は、そのコード巻取り具の左側面図及び右側面図である。
【図３４】（ａ）は、図３３（ｂ）のＩ−Ｉ線に沿う断面図であり、
（ｂ）は、図３３（ｂ）のＩＩ−ＩＩ線に沿う断面図である。
【図３５】（ａ）は、図３３に示したコード巻取り具の使用状態図であり、
（ｂ）は、図３５（ａ）のＩ−Ｉ線に沿う断面図である。
【図３６】（ａ）は、図３３のコード巻取り具の半部を示す平面図であり、
（ｂ）は、そのコード巻取り具の半部の正面図であり、
（ｃ）は、そのコード巻取り具の半部の底面図であり、
（ｄ）は、そのコード巻取り具の半部の背面図であり、
（ｅ）は、そのコード巻取り具の半部の左側面図であり、
（ｆ）は、そのコード巻取り具の半部の右側面図である。
【図３７】図３６（ｂ）のＩ−Ｉ線に沿う断面図である。
【図３８】（ａ）は、第１７の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図３９】図３８（ｂ）のＩ−Ｉ線に沿う断面図である。
【図４０】（ａ）は、第１８の実施形態に係るコード巻取り具の平面図であり、
（ｂ）は、そのコード巻取り具の正面図であり、
（ｃ）は、そのコード巻取り具の底面図であり、
（ｄ）は、そのコード巻取り具の背面図であり、
（ｅ）は、そのコード巻取り具の左側面図及び右側面図である。
【図４１】（ａ）は、図４０（ｂ）のＩ−Ｉ線に沿う断面図である。
（ｂ）は、その使用状態を示す正面図である。
【図４２】従来のコード巻取り具を示す断面図である。
【符号の説明】
１，１０，１５，２０，２５，３０，３５，４０，４５，５０，５５，６０，６５，７０，７５，８０，９０，９３…コード巻取り具、２，８３…本体部、２ａ…本体部の側面、３，４，１１，１２，１６，１７，２１，２２，２６，２７，４６，４７，５６，５７，７３Ａ，７３Ｂ，８４，８５…開口部、５，６，８６，８７…切込み部、８１…第１の半部、８２…第２の半部、９４…スリット部、Ａ…コード、Ｂ…中点、Ｄ…軸線、α…内角、β…傾き角。
【図１】
0004461312.tif 000002
【図２】
0004461312.tif 000003
【図３】
0004461312.tif 000004
【図４】
0004461312.tif 000005
【図５】
0004461312.tif 000006
【図６】
0004461312.tif 000007
【図７】
0004461312.tif 000008
【図８】
0004461312.tif 000009
【図９】
0004461312.tif 000010
【図１０】
0004461312.tif 000011
【図１１】
0004461312.tif 000012
【図１２】
0004461312.tif 000013
【図１３】
0004461312.tif 000014
【図１４】
0004461312.tif 000015
【図１５】
0004461312.tif 000016
【図１６】
0004461312.tif 000017
【図１７】
0004461312.tif 000018
【図１８】
0004461312.tif 000019
【図１９】
0004461312.tif 000020
【図２０】
0004461312.tif 000021
【図２１】
0004461312.tif 000022
【図２２】
0004461312.tif 000023
【図２３】
0004461312.tif 000024
【図２４】
0004461312.tif 000025
【図２５】
0004461312.tif 000026
【図２６】
0004461312.tif 000027
【図２７】
0004461312.tif 000028
【図２８】
0004461312.tif 000029
【図２９】
0004461312.tif 000030
【図３０】
0004461312.tif 000031
【図３１】
0004461312.tif 000032
【図３２】
0004461312.tif 000033
【図３３】
0004461312.tif 000034
【図３４】
0004461312.tif 000035
【図３５】
0004461312.tif 000036
【図３６】
0004461312.tif 000037
【図３７】
0004461312.tif 000038
【図３８】
0004461312.tif 000039
【図３９】
0004461312.tif 000040
【図４０】
0004461312.tif 000041
【図４１】
0004461312.tif 000042
【図４２】
0004461312.tif 000043